(57)【特許請求の範囲】
【請求項１】
吸入管（１５）を保持しており、該吸入管の出口ノズル（１５ａ）が内部へと開いており、該出口ノズル（１５ａ）を通って気相および液相の少なくとも一方を含む冷媒流体の流れが内部へと吐き出される密閉シェル（１０）と、
シェル（１０）の内部に取り付けられ、バルブプレート（１３）とヘッド（１４）とによって閉じられた端部を有する圧縮室（ＣＣ）を定めているシリンダブロック（１１）と、
シリンダブロック（１１）へと取り付けられ、吸入管（１５）へと向けられた入口ノズル（２２）を備える導入管（２１）と、圧縮室（ＣＣ）に連通した出口管（２３）とを外部に備えている吸入マフラ（２０）とを備える形式の冷凍圧縮機の吸入機構であって、
導入管（２１）の入口ノズル（２２）が、吸入管（１５）の出口ノズル（１５ａ）の輪郭の軸方向の投影に近接して該軸方向の投影の外側に設けられているとともに、出口ノズル（１５ａ）の輪郭の軸方向の投影の軸に直交し、入口ノズル（２２）の前方に位置する該軸方向の投影の領域に向かう方向（Ａ）と、吸入管（１５）の出口ノズル（１５ａ）の輪郭の軸方向の投影の軸（Ｘ）に対して傾斜し、出口ノズル（１５ａ）と入口ノズル（２２）との間に画定される冷媒流体の流れが入るシェル（１０）の内部領域に向かう方向（Ｂ）とのいずれか一方に向けられており、
入口ノズル（２２）が、冷媒流体の流れに存在しうる気相を、入口ノズル（２２）の内部の負圧の状態のもとで受け入れる一方で、冷媒流体の流れに存在しうる液相は、入口ノズル（２２）の外部のシェル（１０）の領域へと導かれることを特徴とする、前記吸入機構。
【請求項２】
導入管（２１）の入口ノズル（２２）が、冷媒流体の流れの輪郭に接する輪郭を有することを特徴とする、請求項１に記載の吸入機構。
【請求項３】
導入管（２１）の入口ノズル（２２）が、吸入管（１５）の出口ノズル（１５ａ）の輪郭の軸方向の投影に接する輪郭を有することを特徴とする、請求項１に記載の吸入機構。
【発明の詳細な説明】
【技術分野】
【０００１】
本開示は、密閉冷凍圧縮機全般の吸入管に適用される構造的な機構に関する。この機構は、特に、例えば製氷機などの商用の冷凍システムにおいて使用される密閉圧縮機の吸入管に関する。
【背景技術】
【０００２】
家庭用の冷蔵庫に一般的に使用される密閉冷凍圧縮機などの（小型または中型の）密閉冷凍圧縮機は、例えば製氷機などの他の冷凍システムにおいても使用される。そのようなシステムにおいては、冷凍システムのエバポレータの定期的な除霜が、圧縮機の吐出部から出る加熱された気体の形態の冷媒流体そのものによって実行される。
【０００３】
（小型または中型の）冷凍システムにおいては、液体冷媒の不完全な気化ゆえに、吸入システムにおける液体冷媒の戻りが一般的である。この場合、冷凍回路に液体分離装置が設けられない場合、圧縮機が損傷する可能性がある。液体の戻りの最も一般的な原因は、冷凍システムにおける過剰な冷媒負荷、エバポレータの不適切な冷却、および膨張装置の誤った調節である。液体の戻りの現象は、大容量かつ低い蒸発温度の商用の圧縮機においてより顕著である。
【０００４】
一部の圧縮機（図１および図１Ａを参照）は、開放吸入を呈しており、すなわちシェル２の壁を貫いて配置された吸入管１が、シェル２の内部へと開いている。この構造においては、吸入管１に達する気体の形態の冷媒流体が、圧縮機の密閉シェル２の内部に進入し、シェル２の内部環境から吸入マフラ３の内部へと引き込まれ、そこから圧縮機の圧縮室の内部へと引き込まれる。
【０００５】
これらの公知の圧縮機においては、吸入音響マフラ３が、吸入管１から上方へと離して密閉シェル２の内部に設けられている。この吸入の機構によれば、気体の形態の冷媒流体を、吸入マフラ３の内部へと引き込まれ、次いで圧縮室の内部へと引き込まれる前に、圧縮機の高温の構成要素との接触ゆえに、シェル２の内部に存在しているときに加熱することができる。シェル２の内部における冷媒流体の加熱は、容積ポンプ能力が低下し、したがって圧縮機のエネルギ効率が低下するという不都合を呈する。この構造の例が、特開２００８−２６７３６５号公報に示されており、吸入管１の出口ノズル１ａを通ってシェル２の内部に進入した流れが、吸入管１の出口ノズル１ａから離して配置された吸入マフラ３の入口管５の入口ノズル４に達する前に、ヘッドによってそらされる。
【０００６】
吸入管１によって圧縮機へと戻る気体の形態の冷媒流体が、密閉シェル２の内部に進入することなく吸入マフラ３の内部へと完全に案内される直接吸入圧縮機（図１Ｂを参照）も知られている。この形式の吸入の構成においては、冷媒流体が、開放吸入の構成の圧縮機の高温の構成部品に曝されることなく、吸入管１および吸入マフラ３を通って圧縮室へと引き込まれ、したがってより高い圧縮機のエネルギ効率がもたらされる。
【０００７】
しかしながら、直接吸入の構成（図１Ｂ）は、液体の状態の冷媒流体が圧縮機の圧縮室に進入する恐れがない用途にしか使用することができない。
【０００８】
それでもなお、製氷機に使用される冷凍システムなどの特定の冷凍システムにおいては、エバポレータの領域に蓄積する氷を除去するための除霜作業を、圧縮機の動作によって定期的に実行しなければならない。この種の除霜作業においては、圧縮機によって圧縮および加熱された気体の冷媒が、従来からの冷凍サイクルの通常の動作の最中のように凝縮器の入口へと案内されるのではなく、エバポレータの入口へと案内されるように、冷凍システムの冷媒流体の回路において反転が行なわれる。
【０００９】
冷凍システムのサイクルの反転が行なわれる除霜作業において、冷媒流体がエバポレータにおいて少なくとも部分的に凝縮して液相へと変化し、圧縮機へと戻される。冷凍システムは、所望の程度の除霜が達成されるまで、特定の時間期間にわたって反転したサイクルでの動作を続ける。ひとたび除霜が達成されると、冷凍システムは、圧縮機によって圧縮された気相の冷媒流体が凝縮器の入口へと案内される従来からの方法で動作する。
【００１０】
除霜動作の際にエバポレータを出て圧縮機へと戻る液相の冷媒流体を、圧縮機のシリンダによって圧縮されて高い内圧を引き起こし、結果としてバルブ、ガスケット、および圧縮機の他の部品を傷めることがないように、通常の吸入経路からそらさなければならない。したがって、これらの用途においては、直接吸入を使用することが不可能である。
【００１１】
液体の冷媒流体の吸入チャンバへの進入を防止するために、いくつかの圧縮機の構成（特に商用であり、動作の最中に液体の戻りを免れない圧縮機の構成）においては、冷媒流体の入口ノズル４を備える吸入マフラ３が、圧縮機のシェル２の内部へと開いた吸入管１の出口ノズル１ａから離されている。
【００１２】
特開２００５−１３３７０７号公報に提示の技術的解決策においては、吸入音響マフラが、吸入管の内側端から離して設けられた冷媒流体導入管を備えている。導入管は、吸入管の内側端に実質的に位置合わせされた冷媒流体入口ノズルを備えており、この冷媒流体入口ノズルが、吸入管を通じて受け取られる気体の冷媒流体をより良好に導入するように定められたデフレクタを取り入れるように構成されている。それでもなお、吸入の際に、吸入管の内側端と吸入音響マフラの導入管の入口ノズルとの間の間隔が、油または液相の冷媒流体が圧縮機の内部へとさらに引き込まれて圧縮機を傷めることを防止するためには、充分でない。
【００１３】
製氷機または液体の冷媒流体が圧縮室へと戻る恐れが存在する他の用途に使用される多くの密閉圧縮機の構成（図１を参照）においては、吸入管１が、開放吸入の構成に従って、吸入マフラ３の気体の冷媒の入口ノズル４から離して、通常はシェル２の内部において互いに反対に設けられる。この形式の取り付けの構成においては、液体の冷媒流体が圧縮室の内部へと戻る恐れがなくなるが、冷媒流体が吸入マフラ３の内部へと引き込まれ、そこから圧縮室の内部へと引き込まれる前に、密閉シェル２の内部に導入されるため、冷媒流体が加熱されるがゆえの圧縮機のエネルギ効率の低下が避けられない。
【００１４】
液体の冷媒流体（あるいは、油も）が吸入マフラへと戻る恐れを、冷媒流体を密閉シェルの内部における望ましくない加熱に曝すことなく最小化または抑制することを目的とするいくつかの吸入の構成も、技術的に公知である。そのような構成の例が、特開２００７−２５５２４５号公報に見て取ることができる。
【００１５】
特開２００７−２５５２４５号公報に提示の技術的解決策においては、吸入管が、圧縮機のシェルの内部に位置する延長部を備えており、この延長部が、吸入管と同じ高さに位置し、液体の冷媒流体を一時的に溜め、偶然にて吸入の流れへと流出させる下部と、吸入管よりも高い位置にあり、気体の冷媒流体だけを導き、吸入マフラの入口ノズルに対して軸方向に離れて位置する出口ノズルを有している上部とによって形成されている。ノズルが、吸入管を通って受け取られる気体の冷媒流体をより良好に導入するように定められたデフレクタを備えている。吸入マフラの入口ノズルの軸が、吸入管の内部延長部の上部の出口ノズルの軸と同一平面にあるが、吸入マフラの入口ノズルが、スペースの理由および内部延長部の上部に液体の冷媒が到達しても吸入マフラへと供給されることがないようにするという理由で、吸入管の内部延長部の上部の出口ノズルの軸とほぼ直角の二面角を形成しているということゆえ、デフレクタを設けることが望ましいことに留意されたい。
【００１６】
この上述の技術的解決策においては、半直接の吸入が存在し、それによれば、液体溜めに偶然にも到達する液体の流体が、液体を圧縮室へと導くことなくシェルの内部へと排出することができる弁要素（溜まった液体の圧力のもとで開く関節式カバーなど）を作動させることができる所定の量に達するまで、流体溜めに貯留される。
【先行技術文献】
【特許文献】
【００１７】
【特許文献１】特開２００５−１３３７０７号公報
【特許文献２】特開２００７−２５５２４５号公報
【発明の概要】
【発明が解決しようとする課題】
【００１８】
上述したこれまでの技術的解決策は、圧縮機の圧縮室への液体の冷媒流体の進入を最小化または軽減するが、実行するには複雑かつ面倒であり、通常は２つの別個の出口を有する追加の部品の形態にて、吸入管の構造に変更を加えることを必要とする。
【００１９】
上述の不便および公知の構造的な解決策の他の不都合に応じて、本開示の目的の１つは、吸入マフラを密閉シェルの内部に取り付けて有する形式の冷凍圧縮機に、通常の冷凍動作において圧縮機によって引き込まれる気相の冷媒流体を密閉シェルの内部において圧縮機のエネルギ効率を損ないかねない望ましくない加熱に曝すことなく、圧縮機の圧縮室への液相の冷媒流体の進入を最小化または阻止する吸入機構をもたらすことにある。
【００２０】
本開示の他の目的は、コストの削減をもたらし、圧縮機の内部に追加の部品を設ける必要がない吸入機構を提供することにある。
【課題を解決するための手段】
【００２１】
本開示の吸入機構は、吸入管を保持しており、該吸入管の出口ノズルが内部へと開いており、該出口ノズルを通って気相および液相の少なくとも一方を含む冷媒流体の流れが内部へと吐き出される密閉シェルと、シェルの内部に取り付けられ、バルブプレートによって閉じられた端部を有する圧縮室を定めているシリンダブロックと、シリンダブロックへと取り付けられ、吸入管へと向けられた入口ノズルを備える導入管と、バルブプレートを介して圧縮室に連通した状態に保たれる端部ノズルを有する冷媒流体の出口管とを外部に備えている吸入マフラとを備える形式の冷凍圧縮機に適用可能である。
【００２２】
本開示の機構においては、導入管の入口ノズルを、吸入管の出口ノズルの輪郭の軸方向の投影に近接して該軸方向の投影の外側に設け、出口ノズルと入口ノズルとの間に位置するシェルの領域へと向けることができる。入口ノズルが、入口ノズルの内部の負圧またはシェルの内部における流れの偏向の少なくとも一方の状態のもとで、冷媒流体の流れに存在しうる気相を受け入れることができる一方で、冷媒流体の流れに存在しうる液相は、入口ノズルの外部のシェルの領域へと導かれる。
【００２３】
本開示の特定の態様においては、導入管の入口ノズルが、吸入管の出口ノズルの輪郭の軸方向の投影の外側に配置され、この軸方向の投影の軸に直交する方向に従って、入口ノズルの前方に位置するこの軸方向の投影の領域へと向けられる。
【００２４】
本開示の別の態様においては、導入管の入口ノズルが、吸入管の出口ノズルの輪郭の軸方向の投影の軸に対して傾けられた方向に、出口ノズルと入口ノズルとの間に定められる冷媒流体の流れが進入するシェルの内部領域へと向けられる。
【００２５】
さらに本開示の別の態様においては、導入管の入口ノズルが、吸入管の出口ノズルの輪郭の軸方向の投影の軸に平行な方向に従って向けられる。
【００２６】
さらに本開示の別の態様によれば、この吸入機構が、シェルの内部に導入管の入口ノズルに隣接して設けられ、吸入管の出口ノズルに面していて、冷媒流体の流れを妨げるように構成された偏向手段を備える。偏向手段が、冷媒流体の流れに存在しうる液相をシェルの内部へとそらし、存在しうる冷媒流体の気相を導入管の入口ノズルへとそらす。特定の態様においては、偏向手段が、シェル、シリンダブロック、および吸入マフラの部品のうちの１つによって保持される。本開示の別の特定の態様によれば、偏向手段を、シリンダブロックの部品ならびにシリンダブロックおよびシェルのいずれかの部品によって保持された偏向フランジの少なくとも１つによって定めることができる。特定の構成上の変種においては、偏向手段を、導入管の入口ノズルの領域において導入管から外方向にアーチ形に突き出し、吸入管の出口ノズルに隣接してこの出口ノズルに面し、この出口ノズルから冷媒流体の流れを受け取り、存在しうる気相を非降下の湾曲した経路にて導入管の入口ノズルへと導き、存在しうる液相を重力によって導入管の外へとシェルの内部に案内するように構成された偏向フランジによって定めることができる。
【００２７】
本明細書において説明される図面は、考えられるすべての実施例ではなく、いくつかの選択された実施の形態だけを説明する目的のためのものであり、本開示の技術的範囲を限定しようとするものではない。
【図面の簡単な説明】
【００２８】
【図１】先行技術の吸入マフラを備える圧縮機の概略図である。
【図１Ａ】先行技術の吸入マフラを備える圧縮機の概略図である。
【図１Ｂ】先行技術の吸入マフラを備える圧縮機の概略図である。
【図１Ｃ】本開示の原理による吸入音響マフラを備える圧縮機の概略図である。
【図２】本開示の原理による吸入マフラを備える圧縮機の部分断面図である。
【図２Ａ】図２の圧縮機の吸入口に対して第１の位置にある図２の吸入マフラの入口ノズルの概略図である。
【図２Ｂ】図２の圧縮機の吸入口に対して第２の位置にある図２の吸入マフラの入口ノズルの概略図である。
【図２Ｃ】図２の圧縮機の吸入口に対して第３の位置にある図２の吸入マフラの入口ノズルの概略図である。
【図３】本開示の原理による吸入マフラの斜視図である。
【図３Ａ】圧縮機に組み込まれた図３の吸入マフラの一部分の斜視図であり、圧縮機の吸入口に対する吸入マフラの入口の位置を示している。
【図４】本開示の原理による吸入マフラの斜視図である。
【図４Ａ】圧縮機に組み込まれた図４の吸入マフラの一部分の斜視図であり、圧縮機の吸入口に対する吸入マフラの入口の位置を示している。
【発明を実施するための形態】
【００２９】
添付の図１Ｃ〜図４Ａに示されるとおり、本開示は、密閉シェル１０と、シェル１０の内部に取り付けられ、往復ピストン１２を収容する圧縮室ＣＣを定めており、圧縮室ＣＣの端部がバルブプレート１３およびヘッド１４によって閉じられているシリンダブロック１１と、シリンダブロック１１に取り付けられた吸入マフラ２０とを備えており、吸入マフラ２０が、入口ノズル２２が設けられた導入管２１と、端部ノズル２４をバルブプレート１３を介して圧縮室ＣＣに連通させて有している冷媒流体用の出口管２３とを外部に備えている形式の冷凍システム用圧縮機のための吸入機構を提供する。図示の構成においては、出口管２３が、バルブプレート１３を介してシリンダブロック２へと取り付けられたヘッド１４に取り付けられ、ヘッド１４には、少なくとも１つの排出チャンバ（図示せず）が定められている。
【００３０】
シェル１０が、シェル１０の内部へと開いた出口ノズル１５ａを備える吸入管１５を保持しており、冷凍システムの動作状況に応じて気相だけ、液相だけ、あるいは液相および気相の両方を含むことができる冷媒流体の流れが、吸入管１５を通ってシェル１０の内部に進入する。
【００３１】
図示の構成においては、出口ノズル１５ａが、圧縮機のシェル１０の開口として定められているが、シェル１の内部を通って延びる吸入管１５を設けてもよい。吸入管１５は、通常は、圧縮機を備える冷凍システム（図示せず）の回路へと取り付けられる。
【００３２】
吸入マフラ２０が、導入管２１および出口管２３が設けられたおおむね２部品からなる中空体を備えることができる。
【００３３】
いくつかの圧縮機の構成においては、吸入マフラ２０の本体を、吸入管１５の出口ノズル１５ａよりも下方に配置することができる。この場合、吸入マフラ２０に進入した冷媒流体は、最初に吸入マフラ２０の中空体の内部へと下方に案内され、その後に出口管２３へと導かれ、そこから圧縮室ＣＣへと導かれる。
【００３４】
本開示が、本明細書に示される形式の吸入マフラ２０の構成に限られないことを、理解すべきである。本開示は、冷媒流体を吸入管１５の出口ノズル１５ａの軸に平行に進入させ、あるいは吸入管１５の出口ノズル１５ａの軸よりも上方において進入させる吸入マフラにも適用可能である。
【００３５】
本開示の吸入の機構によれば、導入管２１の入口ノズル２２が、吸入管１５の出口ノズル１５ａの輪郭の軸方向の投影に近接して、しかしながらそのような投影の外側に設けられ、出口ノズル１５ａと入口ノズル２２との間に位置するシェル１０の領域に向けられている。入口ノズル２２は、入口ノズル２２の内部が負圧である状況またはシェル１０の内部で流れがそらされる状況の少なくとも一方において、流れのうちの気相を進入させることができる。
【００３６】
本開示によれば、冷媒流体の流れがシェル１０の内部スペースのうちの特定の広がりを移動するようにし、導入管２１の入口ノズル２２の負圧の状態によって定められる手段およびシェル１０の内部に配置されたデフレクタ２５（例えば、シリンダブロック１１によって保持できる）によって定められる手段の一方または両方によって、流れのうちの気相を導入管２１の入口ノズル２２の内部へとそらすことができるよう、導入管２１の入口ノズル２２を、吸入管１５の出口ノズル１５ａからいくらか離して配置することができる。入口ノズル２２の内部への気相の案内が、入口ノズル２２の内部に存在する負圧によってのみ達成される場合、吸入管１５の出口ノズル１５ａを通ってシェル１０の内部に進入した気相の流れは、導入管２１の入口ノズル２２によって気相の流れへと加えられる吸引によって、出口ノズル１５ａを離れると自身の経路からそらされる。
【００３７】
図２Ａに示した本開示の吸入機構の第１の構成によれば、導入管２１の入口ノズル２２が、シェル１０の内部に取り付けられ、実質的に水平かつ吸入管１５の出口ノズル１５ａの輪郭の軸方向の投影の軸Ｘに直交する方向Ａに従って向けられ、すなわち導入管２１の入口ノズル２２の前方にもたらされた吸入管１５の出口ノズル１５ａの輪郭の軸方向の投影の領域へと向けられている。
【００３８】
本開示の吸入機構のこの構成の特定の態様においては、導入管２１の入口ノズル２２が、冷媒流体の流れの輪郭に実質的に接する輪郭を有している。
【００３９】
本開示の機構の第１の構成の利点は、図２Ａに示されるように導入管２１を出口ノズル１５ａから特定の距離に配置することによって、導入管２１の入口ノズル２２の内部への冷媒流体の流れうちの液相の吸入について、約８０％という大きな減少を最初に得ることができる点にある。この配置は、冷媒流体の流れのうちの気相を、半直接吸入によって導入管２１の入口ノズル２２へと進入させることができる。この取り付けの状況において、冷媒流体のうちの気相は、導入管２１の入口ノズル２２の内部に存在する負圧および／または前述されるデフレクタの助けによって、導入管２１の入口ノズル２２の内部へとそらされる。
【００４０】
高効率の商用の圧縮機において、冷媒流体の流れのうちの気相を導入管２１の入口ノズル２２へと案内することで、液相の吸入マフラ２０への進入の恐れなく圧縮機の能力を高めるために、デフレクタ２５（図３）を使用することができる。デフレクタ２５を、冷媒流体の流れのうちの気相を入口ノズル２２の内部へとそらすが、液相は吸入マフラ２０へと進入させないように、シェル１０の内部の圧縮機の構成部品または入口ノズル２２の領域に取り付けられる追加の構成部品によって定めることができる。デフレクタ２５は、冷媒流体の流れを導入管２１の入口ノズル２２の外部のシェル１０の内部領域へと案内することが可能であってもよい。
【００４１】
図２Ｂに示した本開示の吸入機構の第２の構成によれば、導入管２１の入口ノズル２２が、吸入管１５の出口ノズル１５ａの輪郭の軸方向の投影の軸Ｘに対して傾けられた方向Ｂに従って、冷媒流体の流れを進入させるための出口ノズル１５ａと入口ノズル２２との間に定められるシェル１０の内部領域へと向けられている。
【００４２】
本開示のこの第２の吸入機構の第１の特定の構成においては、導入管２１の入口ノズル２２が、図２Ｂに示されるとおり、吸入管１５の出口ノズル１５ａの輪郭の軸方向の投影に実質的に接する輪郭を有している。
【００４３】
図には具体的には示されていないが、冷媒流体の流れの輪郭が吸入管１５の出口ノズル１５ａの軸方向の投影の輪郭の限界を半径方向に外挿する状況において、導入管２１の入口ノズル２２が、冷媒流体の流れの輪郭に実質的に接する輪郭を有してもよいことを、理解すべきである。
【００４４】
上述の第２の構成は、導入管２１の入口ノズル２２によって引き込まれる気相の冷媒流体の量を増やし、結果として圧縮機の効率が向上するという利点を有する。
【００４５】
他方で、入口ノズル２２をシェル１０に進入した冷媒流体の流れに対して配置することは、液相が導入管２１の入口ノズル２２の内部に進入する恐れを減らすために、冷媒流体の流れの輪郭に対して入口ノズル２２をより大きく離すことを必要とする。しかしながら、この恐れの軽減は、吸入管１５を通ってシェル１０の内部へと放出される気相の冷媒流体の流れの導入の効率の低下につながる。
【００４６】
気相の導入の効率を低下させることなく吸入マフラ２０への液相の進入の恐れを最小化するために、取り付けの機構の第１の構成（図２Ａ）に関してすでに説明したように、デフレクタ２５を使用することが可能である。
【００４７】
図２Ｃに示される本開示の吸入機構の第３の構成によれば、導入管２１の入口ノズル２２が、吸入管１５の出口ノズル１５ａの輪郭の軸方向の投影の軸Ｘに実質的に平行な方向Ｃに従って向けられている。
【００４８】
本開示の第３の構成（図２Ｃ）を実行する第１の特定の方法においては、導入管２１の入口ノズル２２が、吸入管１５の出口ノズル１５ａの輪郭の軸方向の投影に実質的に接する輪郭を有する。
【００４９】
図には具体的には示されていないが、本開示の吸入機構の第３の構成において、冷媒流体の流れの輪郭が吸入管１５の出口ノズル１５ａの軸方向の投影の輪郭の限界を半径方向に外挿する状況において、導入管２１の入口ノズル２２が、冷媒流体の流れの輪郭に実質的に接する輪郭を有してもよいことを、理解すべきである。
【００５０】
第３の構造的配置を、図２Ａおよび図２Ｂに示した構成と比べてシェル１０の内部に充分なスペースが存在しない場合、ならびに／あるいは他の構成部品をデフレクタとして使用する可能性が存在しない場合に、使用することができる。
【００５１】
低容量の圧縮機にとっては、この第３の技術的解決策が適切であり、導入管２１の入口ノズル２２による液相の冷媒流体の流れの吸入を避けるために充分である。しかしながら、大容量の圧縮機においては、効率が損なわれる可能性がある。
【００５２】
冷媒流体の流れが、出口ノズル１５ａを通過した後に、導入管２１の入口ノズル２２に達するまでに特定の分散を呈する可能性があるため、軸方向の投影の輪郭に対して入口ノズル２２が接するという条件が、冷媒流体の流れの輪郭に対する入口ノズル２２のセカント（ｓｅｃａｎｔ）条件において、導入管２１の入口ノズル２２と吸入管１５の出口ノズル１５ａとの間の所定の距離をもたらすことができることを、理解すべきである。
【００５３】
上述および図２Ａ、図２Ｂ、および図２Ｃに典型的に示した構成上の選択肢において、導入管２１の入口ノズル２２を、吸入管１５の出口ノズル１５ａの輪郭の軸方向の投影の周囲の種々の位置に配置できることを、理解すべきである。
【００５４】
吸入管１５の出口ノズル１５ａに対する導入管２１の入口ノズル２２の位置（距離、横ずれ）を、吸入マフラ２０の取り付けに利用することができる圧縮機のシェル１０の内部スペース、圧縮機の設計の特徴、および組み合わせられる冷凍システムに応じて定めることができる。
【００５５】
さらに、本開示の技術的解決策は、液相の冷媒流体の流れの少なくとも大部分が、圧縮機の動作に有害となりうる量を導入管２１の入口ノズル２２に進入させることなく、導入管２１の入口ノズル２２の領域を通過するよう、導入管２１の入口ノズル２２と吸入管１５の出口ノズル１５ａとの間のミスアライメントを提供することができる。
【００５６】
本開示を実行する方法のうちの１つにおいては、圧縮機の動作の最中の吸入サイクルに起因して吸入マフラ２０の内圧がシェル１０の内部の圧力よりも低くなるため、気相の冷媒流体の流れを、圧縮機の吸入サイクルの際のシェル１０の内部と吸入マフラ２０の内部との間の圧力の相違によって引き起こされる低下に起因して、吸入マフラ２０の内部へと案内することができる。圧力の低下により、吸入マフラが、気相の冷媒流体の流れの吸入を促進する。冷媒流体の流れから気体を引き込む低い圧力は、導入管２１の入口ノズル２２の配置と相俟って、吸入管１５の出口ノズル１５ａからシェル１０の内部へと進入するときに高い速度の冷媒流体の流れの液相を引き込むためには不充分である。吸入マフラ２０の内部の負圧は、気相の冷媒流体の流れのための非物理的な偏向手段として機能する。この場合に、冷媒流体の流れの液相は、例えば重力および／または慣性によって、その速度が低下するにつれてシェル１０の内部へと案内される。液相が圧縮機にとって有害となりうる量にて導入管２１の入口ノズル２２へと進入することを防止するために、デフレクタを流れに対して作用して液相の経路を変更するように設ける必要は必ずしもない。
【００５７】
本開示のこの態様を実行する方法において、導入管２１の入口ノズル２２を、冷媒流体の流れのうちの液相がこの冷媒流体の流れの速度の喪失によって変化する経路を有するように、吸入管１５の出口ノズル１５ａから所定の距離に配置することができる。
【００５８】
本開示の他の特定の態様によれば、冷媒流体の流れのうちの液相が、シェル１０の内部環境においてシェル１の内部に設けられたデフレクタ２５によって中断される経路を有する。デフレクタ２５を、導入管２１の入口ノズル２２の付近に、吸入管１５の出口ノズル１５ａに面するように配置でき、吸入管１５の出口ノズル１５ａから冷媒流体の流れを受け取り、冷媒流体の液相の経路を妨げて、存在しうる液相をシェル１０の内部へと重力によって案内するように構成することができる。デフレクタ２５を、冷媒流体の流れの気相および液相の間の分離手段として負圧および導入管２１の入口ノズル２２と吸入管１５の出口ノズル１５ａとの間の相対配置だけを用いることが不可能である場合に、使用することができる。
【００５９】
デフレクタ２５を、シェル１０、シリンダブロック１１、および吸入マフラ２０の部品のうちの１つによって保持することができ、例えば吸入マフラ２０または圧縮機の構成要素によって定めることができる。特に、デフレクタ２５を、シェル１０の隣接および直面の内壁部分として定めることができる。
【００６０】
本開示を実行する方法において、デフレクタ２５を、おおむねバルブプレート１３に対して据えられ、シリンダブロック１１内の圧縮室ＣＣに流体連通した圧縮機の吸入チャンバおよび排出チャンバ（図示せず）の少なくとも一方を定めるヘッド１４など、圧縮機のシリンダブロック１１によって定めることができる。
【００６１】
デフレクタ２５を、冷媒流体の流れの液相がデフレクタ２５によって受けられ、慣性および／または重力によってシェル１０の内部へと向けられるように、吸入マフラ２０の入口の近くに、吸入マフラ２０に隣接して、導入管２１の入口ノズル２２に対して配置することができる。
【００６２】
デフレクタ２５を、シリンダブロック１１の部品のうちの少なくとも１つと、シリンダブロック１１およびシェル１０のいずれかの部品によって保持される偏向フランジとによって定めることができ、あるいは吸入管１５の出口ノズル１５ａに隣接および対面するように入口ノズル２２の領域において導入管２２から外へとアーチ形に突き出した偏向フランジ２５ａ（図３および図３Ａ）によって定めることもできる。デフレクタ２５は、吸入管１５の出口ノズル１５ａから冷媒流体の流れを受け取り、その気相を非下降の湾曲した経路にて導入管２１の入口ノズル２２へと導き、液相が存在するのであれば重力および／または慣性によって導入管２１から外へとシェル１０の内部に導くように構成される。
【００６３】
図３および図３Ａが、冷媒流体の流れのうちの気相（普通の矢印）を入口ノズル２２へと吸い込ませることができる一方で、存在しうる液相（点線の矢印）の経路を遮ってそらし、重力および／または慣性によってシェル１０の中へと案内できるように配置された偏向フランジ２５ａに衝突する冷媒流体の流れを概略的に示している。
【００６４】
本開示の偏向フランジ２５ａは、吸入管１５の出口ノズル１５ａを通ってシェル１０の内部に進入した冷媒流体の流れを直接受け取り、液相の冷媒流体について邪魔板として機能し、偏向フランジ２５ａに到達した後の液相の冷媒流体は、偏向フランジ２５ａから重力および／または慣性によって流れ、シェル１０の底部に向かってシェル１０の内部へと凝結して降下する。
【００６５】
本開示の実行する１つの方法によれば、添付の図面に示されているように、導入管２１の入口ノズル２２が、吸入管１５の出口ノズル１５ａの断面積に少なくとも等しい面積を有する断面を入口ノズル２２にもたらすために、導入管１１の軸に実質的に平行かつ導入管の輪郭を割る平面に含まれる１対の側縁２６および上縁２７を呈する。
【００６６】
導入管２１の図示の入口ノズル２２は、吸入管１５の出口ノズル１５ａの軸Ｘに実質的に平行な平面に含まれる１対の側縁２６および上縁２７を呈する。この平面は、導入管２１の軸と、吸入管１５の出口ノズル１５ａの断面積に少なくとも等しい面積を有する断面を導入管２１の入口ノズル２２へともたらすように定められる一定の距離を維持する。
【００６７】
偏向フランジ２５ａは、導入管２１の入口ノズル２２の１対の側縁２６のうちの一方に一体に取り入れられてもよく、例えばこの側縁の全長を占めることができる。偏向フランジ２５ａは、直線的かつ導入管２１の入口ノズル２２の両側縁２６を含む平面と同一平面にあってもよく、吸入管１５へと向けられ、吸入管１５によって導入される冷媒流体の流れを受け取る偏向フランジ２５ａの面に到達する液体の下方への流れを促進するために、この平面に対してわずかに傾いていてもよい。
【００６８】
本開示の好ましい形態によれば、導入管２１の入口ノズル２２を通って進入する際の冷媒流体の流れの気相に付与される湾曲した経路が、ただ１つの方向を呈する。図示の構成においては、気相の冷媒流体が、吸入管１５の出口ノズル１５ａと導入管２１の入口ノズル２２との間の実質的に水平方向に湾曲した経路に従い、次いで気相の冷媒流体は、導入管２１の入口ノズル２２への進入の方向に対して直角になり、図示の構成においては鉛直下方に傾けられるような経路の方向の変化を、吸入によって強いられる。
【００６９】
しかしながら、吸入管１５の出口ノズル１５ａに対する入口ノズル２２または導入管２１の配置によって、吸入管１５によって導入される冷媒流体の流れの導入の平面と同じ平面内で気相の冷媒流体の経路に２回以上の方向変化を生じさせることができ、あるいはこの冷媒流体の流れにらせん状の経路を定めることができる他の技術的解決策も、本明細書に提示の考え方の範囲内において可能であることを、理解すべきである。
【００７０】
本開示によれば、偏向フランジ２５ａが、導入管２１の軸方向において、同じ方向における導入管２１の入口ノズル２２および吸入管１５の出口ノズル１５ａの断面の寸法に少なくとも等しい寸法を呈する。
【００７１】
本開示の特定の態様によれば、偏向フランジ２５ａが、導入管２１の輪郭から半径方向外側へと突き出し、渦巻き部分を定める。
【００７２】
図３の図によれば、導入管２１が、本開示を実行する１つの方法において、入口ノズル２２に隣接しており、出口管２３に実質的に平行である第１の部位と、第１の部位よりも下方に位置し、第１の部位に対して斜めに配置されて吸入マフラ２０の中空体へと延びている第２の部位とを呈することができる。１つの構成においては、位置が、導入管２１の入口ノズル２２と吸入管１５の出口ノズル１５ａとの間に所望の間隔を定めるように計算される。
【００７３】
図示はされていないが、偏向フランジ２５ａを、渦巻きが冷媒流体の液相を遮ってそらすという機能を維持しつつ、導入される気体についてより大きな経路の広がりまたはより小さな経路の広がりを定めるように、寸法付けることができる。
【００７４】
上述の構成において、圧縮機に高い効率をもたらす半直接の吸入をもたらす所定の距離を、吸入管１５の出口ノズル１５ａと導入管２１の入口ノズル２２との間に維持することができる。デフレクタの使用が、冷媒流体の液相を吸入マフラ２０の導入管２１の入口ノズル２２の領域を過ぎて良好に導くため、機構の効率を最適化する。デフレクタは、ヘッド１１であってもよく、あるいは吸入管１５の出口ノズル１５ａに隣接する圧縮機の他の部品に位置することができる。
【図１】
0005632963.tif 000002
【図１Ａ】
0005632963.tif 000003
【図１Ｂ】
0005632963.tif 000004
【図１Ｃ】
0005632963.tif 000005
【図２】
0005632963.tif 000006
【図２Ａ】
0005632963.tif 000007
【図２Ｂ】
0005632963.tif 000008
【図２Ｃ】
0005632963.tif 000009
【図３】
0005632963.tif 000010
【図３Ａ】
0005632963.tif 000011
【図４】
0005632963.tif 000012
【図４Ａ】
0005632963.tif 000013